(57)【要約】【課題】簡易な構成により完成車両にも取り付け容易で、適切な温度制御によりドアレールの凍結を安全に防止可能なレールヒータを提供する。【解決手段】鉄道車両の乗降用扉２の開閉をガイドするドアレール４の凍結を防止するレールヒータ１であって、ドアレール４は、乗降用扉２の沓摺り部３に取り付けられており、凸型断面に形成されたレール部４ａの内側の空間に、通電により発熱する軸状のヒータ部材５が挿入され、ヒータ部材５には、電力を供給可能な電源が接続されている。【選択図】図１
0003230314.tif 000002
【実用新案登録請求の範囲】
【請求項１】
鉄道車両の乗降用扉の開閉をガイドするドアレールの凍結を防止するレールヒータであって、
前記ドアレールは、前記乗降用扉の沓摺り部に取り付けられるとともに、凸型断面に形成されたレール部を有し、該レール部の内側の空間に、通電により発熱する軸状のヒータ部材が挿入されており、
前記ヒータ部材には、電力を供給可能な電源が接続されていることを特徴とするレールヒータ。
【請求項２】
前記レール部の内側の空間には、前記ヒータ部材との隙間を埋める充填剤が充填されていることを特徴とする請求項１記載のレールヒータ。
【請求項３】
前記ドアレールの温度を検出する温度センサと、前記電源から前記ヒータ部材への供給電力を調節する電気調節器と、該電気調節器により前記ヒータ部材へ供給される電力を制御する温度調節器とを備え、
前記温度調節器は、前記温度センサによって検出される前記ドアレールの温度が、あらかじめ設定された目標温度となるように前記電気調節器の出力を制御することを特徴とする請求項１又は２記載のレールヒータ。
【請求項４】
前記温度調節器は、上限温度が設定されており、前記温度センサによって検出される前記ドアレールの温度が上限温度を超えると、前記電力調節器から前記ヒータ部材への通電を停止させる電力遮断回路が設けられていることを特徴とする請求項３記載のレールヒータ。
【請求項５】
前記乗降用扉は、複数箇所に設けられており、
前記乗降用扉ごとに、前記ドアレールの温度を検出する温度センサと、前記電源から前記ヒータ部材への供給電力を調節する電気調節器とを備え、
各前記ドアレールの前記電気調節器と選択的に接続し、接続した前記電気調節器により前記ヒータ部材へ供給される電力を制御する温度調節器を備え、
各前記ドアレールの前記温度センサは、第一の選択スイッチによって切り替え可能に前記温度調節器に接続されるとともに、各前記電気調節器は、第二の選択スイッチによって切り替え可能に前記温度調節器に接続され、
前記第一の選択スイッチと前記第二の選択スイッチとは、それぞれ、一定の時間間隔で接続先を切り替えるとともに、切り替える際に連動して動作し、前記温度調節器を同じ前記ドアレールの前記温度センサと前記電気調節器とに接続し、
前記温度調節器は、接続された前記温度センサによって検出される前記ドアレールの温度が、あらかじめ設定された目標温度となるように接続された前記電気調節器の出力を制御することを特徴とする請求項１又は２記載のレールヒータ。
【考案の詳細な説明】
【技術分野】
【０００１】
本考案は、レールヒータに関し、詳しくは、鉄道車両、特に客車の、乗降用扉の開閉をガイドするドアレールの凍結を防止するヒータに関する。
【背景技術】
【０００２】
鉄道車両は、降雪や積雪のある寒冷地では、着雪や凍結によって運転に障害が生じることが多い。例えば、走行中に巻き上げた雪が車両に付着して、扉とドアレールとの間で雪が詰まったり、詰まった雪が溶けてその水分が再凍結したりすることや、車両基地に留置している間にドアレールが凍結することなどで、扉が開閉できなくなる場合が挙げられる。
【０００３】
特に、乗客乗降用の扉は編成あたりの個数が多く、一斉に開閉する際に一つでも開閉しなくなると運転の障害になるため、確実に動作できるようにする必要がある。
【０００４】
このため、降雪や積雪のある寒冷地で使用する車両には、乗客乗降用の扉やドアレールの凍結を防止する手段が設けられている。その手段の一つとして、ドアレールを加熱するレールヒータが乗客乗降用の扉の沓摺り付近に設けられているものがある（例えば、図６又は特許文献１参照）。
【０００５】
従来のレールヒータは、例えば、特許文献１においては、車両の出入口の台枠に凹部が設けられて沓摺りで閉鎖されており、この凹部に収容されるようにレールヒータが沓摺りの下面に取り付けられて、沓摺り及び扉のレールを加熱できるように構成されている。
【０００６】
また、図６は、従来のレールヒータ３１が設けられた鉄道車両の乗降口の要部断面図である。図６に示すように、従来のレールヒータ３１は、乗降用扉３２の沓摺り部３３の下方の領域にある、沓摺り部３３と客室床３７との間にできる空間３６を利用してドアレール３４付近にヒータ部材３５を配置し、ヒータ部材３５を発熱させてドアレール３４を加温することで、ドアレール３４の凍結を防ぐ構成である。
【先行技術文献】
【特許文献】
【０００７】
【特許文献１】特開２０１９−０１４３３９号公報
【考案の概要】
【考案が解決しようとする課題】
【０００８】
ところで、特許文献１に記載の沓摺りで閉鎖された台枠の凹部や、図６の沓摺り部３３の下方の空間３６は、車両の床構造によるものである。したがって、例えば、図６の鉄道車両が寒冷地向けに新造される場合、つまり、あらかじめレールヒータ３１を備える仕様である場合には、ヒータ部材３５を適切に配置・挿入可能な空間３６が作られるように床構造が設計されている。
【０００９】
一方で、温暖地用の鉄道車両を寒冷地向けに改造したいという需要もある。この場合に凍結防止手段としてレールヒータ３１を導入するには、完成車両に後からヒータ部材３５を配置・挿入する必要がある。改造する車両が図６と同様の床構造であれば、沓摺り部３３を一時的に取り外すことで、空間３６にヒータ部材３５を配置・挿入できるようになる。
【００１０】
しかしながら、車両によっては、必ずしも図６のような床構造となっておらず、図７に示すように、台枠が一体形成された床構造をしており、乗降用扉の沓摺り部の下方の領域に、ヒータ部材を適切に配置・挿入することができない場合もある。
【００１１】
図７に示すように、この鉄道車両では、２枚の板材の間に波形の芯を挟み込んだ形状に一体形成された台枠３８が床面をなしており、乗降用扉３２の部分において台枠３８の上面に沓摺り部３３が取り付けられている。
【００１２】
このような床構造の車両では、乗降用扉３２の沓摺り部３３の下方の領域は、台枠３８の構造材で閉鎖された、空洞状の隠蔽空間３９となっている。ここにヒータ部材３５を配置するためには、台枠３８に穴をあけたり、切り欠いたりするなど、台枠３８を部分的に欠損させる必要がある。
【００１３】
しかし、一体形成の台枠３８を欠損させると、強度維持の観点で問題が生じるため、沓摺り部３３の下方の隠蔽空間３９内にヒータ部材３５を後付けするような改造の実施は困難であった。
【００１４】
また、一般に、レールヒータは、ドアレールの凍結を防ぐことを目的としており、扉やドアレールに付着した雪や氷を完全に融解させるまで加熱する必要はない。
【００１５】
ところが、従来のレールヒータは、凍結のおそれのある期間、常に加熱するように構成されているので、気温や着雪の状態によっては、過度に高温になるおそれもあった。
【００１６】
そこで本考案は、簡易な構成により完成車両にも取り付け容易で、適切な温度制御によりドアレールの凍結を安全に防止可能なレールヒータを提供することを目的としている。
【課題を解決するための手段】
【００１７】
上記目的を達成するため、本考案の第１のレールヒータは、鉄道車両の乗降用扉の開閉をガイドするドアレールの凍結を防止するレールヒータであって、前記ドアレールは、前記乗降用扉の沓摺り部に取り付けられるとともに、凸型断面に形成されたレール部を有し、該レール部の内側の空間に、通電により発熱する軸状のヒータ部材が挿入されており、前記ヒータ部材には、電力を供給可能な電源が接続されていることを特徴としている。
【００１８】
また、前記レール部の内側の空間には、前記ヒータ部材との隙間を埋める充填剤が充填されていることを特徴としている。
【００１９】
また、前記ドアレールの温度を検出する温度センサと、前記電源から前記ヒータ部材への供給電力を調節する電気調節器と、該電気調節器により前記ヒータ部材へ供給される電力を制御する温度調節器とを備え、前記温度調節器は、前記温度センサによって検出される前記ドアレールの温度が、あらかじめ設定された目標温度となるように前記電気調節器の出力を制御することを特徴としている。
【００２０】
また、本考案の第２のレールヒータでは、前記温度調節器は、上限温度が設定されており、前記温度センサによって検出される前記ドアレールの温度が上限温度を超えると、前記電力調節器から前記ヒータ部材への通電を停止させる電力遮断回路が設けられていることを特徴としている。
【００２１】
さらに、本考案の第３のレールヒータでは、前記乗降用扉は、複数箇所に設けられており、前記乗降用扉ごとに、前記ドアレールの温度を検出する温度センサと、前記電源から前記ヒータ部材への供給電力を調節する電気調節器とを備え、各前記ドアレールの前記電気調節器と選択的に接続し、接続した前記電気調節器により前記ヒータ部材へ供給される電力を制御する温度調節器を備え、各前記ドアレールの前記温度センサは、第一の選択スイッチによって切り替え可能に前記温度調節器に接続されるとともに、各前記電気調節器は、第二の選択スイッチによって切り替え可能に前記温度調節器に接続され、前記第一の選択スイッチと前記第二の選択スイッチとは、それぞれ、一定の時間間隔で接続先を切り替えるとともに、切り替える際に連動して動作し、前記温度調節器を同じ前記ドアレールの前記温度センサと前記電気調節器とに接続し、前記温度調節器は、接続された前記温度センサによって検出される前記ドアレールの温度が、あらかじめ設定された目標温度となるように接続された前記電気調節器の出力を制御することを特徴としている。
【考案の効果】
【００２２】
本考案の第１のレールヒータによれば、ドアレールのレール部の内側の空間にヒータ部材を挿入したことにより、乗降用扉の沓摺り部の下方の領域を利用する必要がなく、設置の自由度が極めて高いので、簡易な構成により完成車両への取り付けが容易になる。
【００２３】
また、レール部内側の空間に、ヒータ部材との隙間を埋める充填剤が充填されていることから、ヒータ部材の発熱によって、ドアレールが全長にわたって効率よく均一に熱されるので、温度制御を円滑に行えるほか、熱損失が少なく経済的である。また、温度分布に偏りが生じにくくなるので、部分的な過熱を抑止でき、ドアレールの凍結をより安全に防止できる。
【００２４】
また、ドアレールの温度を温度センサで監視しつつ、温度設定器で設定された目標温度を維持するように、電源から供給される電力を電力調節器により調節してヒータ部材を発熱させることができるので、適切な温度制御を実現してドアレールの凍結を安全に防止できる。
【００２５】
また、本考案の第２のレールヒータによれば、ドアレールの温度が上限温度を超えた場合に、ヒータ部材への電力を遮断できるので、何らかの不具合が発生した場合、例えば、電力調節器に制御不能な故障が発生した場合であっても、ヒータ部材の過熱を防ぐことができるので、温度制御の安全性を向上させることができる。
【００２６】
さらに、本考案の第３のレールヒータによれば、複数箇所の乗降用扉のドアレールについて、１つの回路で温度制御可能になるので、各乗降用扉の一つ一つにそのドアレールの温度制御を行う回路を構築するより簡易に構成でき、省コスト化及び省スペース化を図ることができる。
【図面の簡単な説明】
【００２７】
【図１】本考案の第１形態例であるレールヒータが組み込まれたドアレールの構造を示す乗降口の要部断面図である。
【図２】鉄道車両の乗降用扉の構成を示す説明図である。
【図３】図１のレールヒータの電気系統を示すブロック図である。
【図４】本考案の第２形態例である過熱遮断機能つきレールヒータの電気系統を示すブロック図である。
【図５】本考案の第３形態例である、複数のドアレールを加温できるレールヒータの構成を示すブロック図である。
【図６】従来のレールヒータが設けられた鉄道車両の乗降口の要部断面図である。
【図７】台枠が一体形成された鉄道車両の床構造を示す断面図である。
【考案を実施するための形態】
【００２８】
図１は、本考案の第１形態例であるレールヒータ１が組み込まれたドアレール４の構造を示す乗降口の要部断面図であり、図２は、鉄道車両の乗降用扉２の構成を示す説明図である。
【００２９】
図１及び図２に示すように、引き戸状の乗降用扉２は、客室床７に取り付けられた沓摺り部３に設けられたドアレール４にガイドされて開閉動作可能に構成されており、鴨居部分に設けられた上部レール２ａに戸車２ｂが懸垂して転動する構造になっている。
【００３０】
なお、図示していないが、この鉄道車両の台枠８は、図７のものと同様に、２枚の板材の間に波形の芯を挟み込んだ形状に一体形成されており、台枠８の上面が客室床７をなしている。
【００３１】
ドアレール４は、乗降用扉２の重量を支えるとともに、乗降用扉２が閉じた状態で車内外からの風圧や満員の乗客による押圧などに耐えられる強度が確保でき、かつ、レールとして必要な平坦度、直線性などを有するように、充分な強度がある金属板を凸型断面の形状に折り曲げてレール部４ａを形成している。
【００３２】
したがって、ドアレール４は、凸型形状のレール部４ａの内側に空間を有する構造になっている。レール部４ａの内側の空間には、少なくとも乗降用扉２の全幅にわたる長さを有する軸状のヒータ部材５が挿入されるとともに、ヒータ部材５との隙間を埋める充填剤６が充填されている。
【００３３】
ヒータ部材５は、抵抗導体や粉末体といった通電により発熱する材料によって構成されおり、ヒータ部材５の端部には、通電用の電極端子１０が設けられている。また、充填剤６は、充填後に硬化し、硬化後に伝熱性及び耐熱性を有する材料（例えば、セメント）によって構成されている。
【００３４】
なお、ドアレール４は、乗降用扉２の開閉動作において、ストローク全長にわたり開閉抵抗が一様になるよう、取り付け位置やたわみ、直線性（上下左右の偏り）などを調整する必要があるため、あらかじめ、直線性が所定の偏差内になるよう製造され、車両に取り付けた後も、レール上面の高さの平坦度と左右の通り狂いが調整される。
【００３５】
この調整はドアレール４自体を工具で押し曲げたり叩いたりして行うので、ドアレール４内部に充填する充填剤６は、ドアレール４が多少変形しても破損しないよう、硬化後もある程度の可塑性を有する材質を用いるのが望ましい。
【００３６】
図３は、図１のレールヒータ１の電気系統を示すブロック図である。
【００３７】
図３に示すように、レールヒータ１は、ヒータ部材５の電極端子１０と接続し、ヒータ部材５への供給電力を調節する電力調節器１１と、電力調節器１１を介してヒータ部材５に電力を供給する電源１２と、ドアレール４の温度を検出する温度センサ９と、温度センサ９が検出する温度が目標温度となるように電力調節器１１の出力を制御する温度調節器１３と、目標温度を温度調節器１３に設定する温度設定器１４とを備えている。
【００３８】
ここで、目標温度とは、乗客に害を与えるおそれがなく、ドアレール４の凍結を十分に防止可能な程度の温度であり、車両が運行される地域の気象条件や、車両の運行状況に応じて適宜決定される。
【００３９】
また、温度センサ９は、熱電対、サーミスタ、半導体など様々な素子・原理のものが適用可能である。
【００４０】
電力調節器１１、温度調節器１３、及び、温度設定器１４は、設置場所を図示していないが、いずれも、鉄道車両内の所定のスペース（例えば、座席下の空間）に設置されている。なお、電源１２は、鉄道車両内で得られる種別の電源で良く、交流／直流の別、電圧などは適宜必要なものが選択される。
【００４１】
以下に、レールヒータ１の温度制御について説明する。
まず、電源１２から電力調節器１１に電力が供給されると、供給電力は、電力調節器１１で出力が調節され、電極端子１０を介してヒータ部材５に送られる。
【００４２】
電力調節器１１からの電力によりヒータ部材５が発熱すると、ドアレール４が加温され、その温度が温度センサ９で検出される。温度センサ９は、検出した温度の情報を温度調節器１３に送り、温度調節器１３は、検出された温度を温度設定器１４で設定された目標温度と比較する。
【００４３】
温度センサ９の検出温度が目標温度以上である場合、温度調節器１３は、電力調節器１１に、出力を低減させる旨の制御信号を送り、その旨の制御信号を受け取った電力調節器１１は、ヒータ部材５への出力を減らす。
【００４４】
温度センサ９の検出温度が目標温度に満たない場合、温度調節器１３は、電力調節器１１に、出力を増加させる旨の制御信号を送り、その旨の制御信号を受け取った電力調節器１１は、ヒータ部材５への出力を増やす。
【００４５】
なお、制御信号の発信方法は、適宜必要なものを選択すればよく、例えば、オン／オフ制御、比例制御などの方法を採り得る。
【００４６】
このように、本考案の第１形態例であるレールヒータ１によれば、ドアレール４のレール部４ａの内側の空間にヒータ部材５を挿入したことにより、乗降用扉２の沓摺り部３の下方の領域を利用する必要がなく、設置の自由度が極めて高いので、簡易な構成により完成車両への取り付けが容易になる。
【００４７】
また、レール部４ａ内側の空間に、ヒータ部材５との隙間を埋める充填剤６が充填されていることから、ヒータ部材５の発熱によって、ドアレール４が全長にわたって効率よく均一に熱されるので、温度制御を円滑に行えるほか、熱損失が少なく経済的である。また、温度分布に偏りが生じにくくなるので、部分的な過熱を抑止でき、ドアレール４の凍結をより安全に防止できる。
【００４８】
さらに、ドアレール４の温度を温度センサ９で監視しつつ、温度設定器１４で設定された目標温度を維持するように、電源１２から供給される電力を電力調節器１１により調節してヒータ部材５を発熱させることができるので、適切な温度制御を実現してドアレール４の凍結を安全に防止できる。
【００４９】
図４は、本考案の第２形態例である過熱遮断機能つきのレールヒータ１ａの電気系統を示すブロック図である。
【００５０】
レールヒータ１ａは、第１形態例である図１のレールヒータ１と同様の構成要素を備えているが、電気系統の構成が図３のものと異なっている。また、第１形態例と同じ構成要素に関しては、同じ符号が付されている。
【００５１】
すなわち、図４に示すように、レールヒータ１ａは、ドアレール４の内部にヒータ部材５が挿入されるとともに、ヒータ部材５の端部には、通電用の電極端子１０が設けられており、ドアレール４に温度センサ９が取り付けられている。
【００５２】
また、レールヒータ１ａは、ヒータ部材５の電極端子１０と接続し、ヒータ部材５への供給電力を調節する電力調節器１１と、電力調節器１１を介してヒータ部材５に電力を供給する電源１２と、温度センサ９が検出する温度が目標温度となるように電力調節器１１の出力を制御する温度調節器１３ａと、目標温度を温度調節器１３ａに設定する温度設定器１４とを備えている。
【００５３】
温度調節器１３ａは、図１の温度調節器１３と同様に、電力調節器１１に対して、温度設定器１４で設定された目標温度が維持されるように、ヒータ部材５への出力を調節する旨の制御指令を送るように構成されているので、レールヒータ１ａは、ドアレール４に対して、レールヒータ１と同様の温度制御を行うことができる。
【００５４】
また、温度調節器１３ａは、温度信号比較回路１６を備え、上限温度設定器１５で設定される、ドアレール４が絶対に上回ってはいけない上限温度と、温度センサ９で検出される実際の検出温度とを常時比較する機能を備えている。
【００５５】
ここで、上限温度とは、人体が触れると火傷したり、ゴム製の靴底が変形したりするなど、乗客に害を与えるおそれのある温度であり、温度調節器１３ａで設定される目標温度よりも高い温度である。
【００５６】
ここで、レールヒータ１ａの過熱遮断制御は次のように行われる。
温度信号比較回路１６は、温度センサ９が検出するドアレール４の温度を監視して、検出された温度と上限温度設定器１５で設定された上限温度とを比較する。
【００５７】
温度信号比較回路１６は、検出された温度が上限温度を超えた場合には、電力遮断回路１７に遮断制御信号を送り、遮断制御信号を受け取った電力遮断回路１７は、電力調節器１１からヒータ部材５への経路を遮断して通電を停止させる。
【００５８】
また、このとき、温度調節器１３ａは、所定の復帰動作を行うまでは、電力調節器１１への制御も停止する。所定の復帰動作とは、例えば、レールヒータ１ａのシステム全体の電源を一旦切り、再度、その電源を入れることである。
【００５９】
このように、本考案の第２形態例である過熱遮断機能つきのレールヒータ１ａによれば、ドアレール４の温度が上限温度を超えた場合に、ヒータ部材５への電力を遮断できるので、何らかの不具合が発生した場合、例えば、電力調節器１１に制御不能な故障が発生した場合であっても、ヒータ部材５の過熱を防ぐことができるので、温度制御の安全性を向上させることができる。
【００６０】
図５は、本考案の第３形態例である、複数のドアレール４を加温できるレールヒータ１ｂの構成を示すブロック図である。
【００６１】
レールヒータ１ｂは、各乗降用扉２のドアレール４においては、第１形態例である図１のレールヒータ１と同様の構成要素を備えているが、電気系統の構成が図３のものと異なっている。また、第１形態例と同じ構成要素に関しては、同じ符号が付されている。
【００６２】
図５に示すように、レールヒータ１ｂでは、車両の３箇所に設けられた乗降用扉２のドアレール４のそれぞれに、ヒータ部材５と、温度センサ９と、このヒータ部材５に接続された電力調節器１１とが１組ずつ設けられている。また、この図では、ヒータ部材５と温度センサ９と電力調節器１１との組について、乗降用扉２ごとに、Ａ，Ｂ，Ｃとグループ分けをしている。
【００６３】
グループＡ，Ｂ，Ｃの各温度センサ９は、第一の選択スイッチ１８によって切り替え可能に温度調節器１３に接続されて、接続時に温度の情報を温度調節器１３へと送れるように構成されている。また、グループＡ，Ｂ，Ｃの各電力調節器１１は、それぞれ、電源１２から給電を受けるとともに、第二の選択スイッチ１９によって切り替え可能に温度調節器１３に接続されて、接続時に温度調節器１３からの制御信号を受け取れるように構成されている。
【００６４】
ここで、温度調節器１３は、図１のものと同様に、電力調節器１１に対して、温度設定器１４で設定された目標温度が維持されるように、ヒータ部材５への出力を調節する旨の制御指令を送るように構成されている。また、電力調節器１１は、受け取った制御信号を保持する機能を有しており、次の制御信号を受け取るまでの間は保持した制御信号に基づきヒータ部材５へ供給される電力を調節するように構成されている。
【００６５】
さらに、第一の選択スイッチ１８と第二の選択スイッチ１９とは、それぞれ、一定の時間間隔で接続するグループ（Ａ，Ｂ，Ｃ）を順繰りに切り替えるとともに、切り替える際に連動して動作し、同じグループ（Ａ，Ｂ，Ｃ）を選択するように構成されている。
【００６６】
すなわち、第一の選択スイッチ１８及び第二の選択スイッチ１９によって、あるグループＸ（Ｘ＝Ａ，Ｂ，Ｃ）が選択されている間は、グループＸの温度センサ９が検出した温度の情報が、第一の選択スイッチ１８により選択的に接続されたグループＸの温度調節器１３に送られ、その情報を受け取った温度調節器１３からは、検出温度に基づく制御信号が、第二の選択スイッチ１９により選択的に接続された同じグループＸの電力調節器１１に伝達される。
【００６７】
したがって、レールヒータ１ｂは、グループＡ，Ｂ，Ｃの各ドアレール４に対して、接続先を一定の時間間隔で切り替えつつ選択的に接続し、接続している間、レールヒータ１と同様の温度制御を行うことができる。
【００６８】
このように、本考案の第３形態例であるレールヒータ１ｂによれば、３箇所の乗降用扉２のドアレール４について、１つの回路で温度制御可能になるので、各乗降用扉２の一つ一つにそのドアレール４の温度制御を行う回路を構築するより簡易に構成でき、省コスト化及び省スペース化を図ることができる。
【００６９】
なお、本考案は、以上の形態例に限定されることなく、考案の範囲内において種々の変更が可能である。例えば、本形態例では、温度センサは、ドアレールの一カ所に配置しているが、必ずしも一カ所にだけ配置する必要はなく、ドアレールの複数個所に配置して、ドアレールの温度分布の偏りを検出可能にして、加温の不足や過剰を検知できるようにしてもよい。
【００７０】
また、本形態例では、乗降用扉の一つのドアレールにつき、一つのヒータ部材と一つの温度センサとを１組だけ設けているが、１組に限る必要はなく、ドアレールを長手方向に沿って複数の区間に分割し、分割された区間のそれぞれにヒータ部材と温度センサとを配置して、区間ごとにドアレールを温度制御するようにしてもよい。
【００７１】
また、本形態例のうち第３形態例は、３箇所の乗降用扉のドアレールを一つの回路でまとめて制御する構成であるが、３箇所に限る必要はなく、２箇所のみ又は４箇所以上の乗降用扉のドアレールを一つの回路でまとめて制御する構成としてもよい。この場合、第一の選択スイッチ及び第二の選択スイッチの接続先を、まとめて制御する箇所の数に合わせて増減させることで対応可能である。
【符号の説明】
【００７２】
１…レールヒータ、１ａ…レールヒータ、１ｂ…レールヒータ、２…乗降用扉、２ａ…上部レール、２ｂ…戸車、３…沓摺り部、４…ドアレール、４ａ…レール部、５…ヒータ部材、６…充填剤、７…客室床、８…台枠、９…温度センサ、１０…電極端子、１１…電力調節器、１２…電源、１３…温度調節器、１３ａ…温度調節器、１４…温度設定器、１５…上限温度設定器、１６…温度信号比較回路、１７…電力遮断回路、１８…第一の選択スイッチ、１９…第二の選択スイッチ、３１…レールヒータ、３２…乗降用扉、３３…沓摺り部、３４…ドアレール、３５…ヒータ部材、３６…空間、３７…客室床、３８…台枠、３９…隠蔽空間
【図１】
0003230314.tif 000003
【図２】
0003230314.tif 000004
【図３】
0003230314.tif 000005
【図４】
0003230314.tif 000006
【図５】
0003230314.tif 000007
【図６】
0003230314.tif 000008
【図７】
0003230314.tif 000009